(57)【要約】【課題】  携帯電気機器と外部装置との間の電気的接続を確立する装置を提供する。  【解決手段】  本発明の携帯用電子機器（１）は、複数の電気接点要素（３１，３２）が配置されるソケット（１５）を具備するケース（１０）を有る。前記ソケット（１５）には、前記外部装置に電気的に接続されているプラグイン・アダプタ（２）が挿入される。前記プラグイン・アダプタ（２）が、少なくとも第１と第２の電気接点領域（２１，２２）を有し、各電気接点領域（２１，２２）は、前記ソケット（１５）内の対応する電気接点要素（３１，３２）と接触し、前記電気接点要素（３１，３２）は、前記プラグイン・アダプタ（２）の挿入方向（Ａ）に直交して配置され、前記第１と第２の電気接点領域（２１，２２）は、前記プラグイン・アダプタ（２）の挿入方向（Ａ）に平行に隣り合って配列される。本発明は、このような接続装置を有する携帯用電子機器（１）のバッテリーを充電するシステムと、プラグイン・アダプタにも適用可能である。
2006518456.tif 000002
【特許請求の範囲】
【請求項１】
携帯電気機器（１）と外部装置との間の電気的接続を確立する装置において、
前記携帯用電子機器（１）は、ソケット（１５）を具備するケース（１０）を有し、
前記ソケット（１５）内に、少なくとも第１と第２の電気接点要素（３１，３２）が配置され、
前記ソケット（１５）には、前記外部装置に電気的に接続されているプラグイン・アダプタ（２）が挿入され、
前記プラグイン・アダプタ（２）が、少なくとも第１と第２の電気接点領域（２１，２２）を有し、
各電気接点領域（２１，２２）は、前記ソケット（１５）内の対応する電気接点要素（３１，３２）と接触し、
前記電気接点要素（３１，３２）は、前記プラグイン・アダプタ（２）の挿入方向（Ａ）に直交して配置され、
前記第１と第２の電気接点領域（２１，２２）は、前記プラグイン・アダプタ（２）の挿入方向（Ａ）に平行に隣り合って配列される
ことを特徴とする携帯用電子機器と外部装置との間の電気接続を確立する装置。
【請求項２】
前記各電気接点要素（３１，３２）は、前記プラグイン・アダプタ（２）の挿入時に、対応する電気接点領域（２１，２２）に摩擦接触する
ことを特徴とする請求項１記載の装置。
【請求項３】
前記プラグイン・アダプタ（２）は、前記携帯用電子機器（１）内に挿入された後、前記ソケット（１５）内に隠れるような延長部（２５）を有し、
前記第１と第２の電気接点領域（２１，２２）は、同一面に配置された第１と第２の導電性舌部として形成され、少なくともその一部はプラグイン・アダプタ（２）の前記延長部（２５）の一面上に配置され、
前記導電性舌部の露出部分は、プラグイン・アダプタ（２）が携帯用電子機器（１）のソケット（１５）内に挿入されたときには、電気接点要素（３１，３２）の方向を向く
ことを特徴とする請求項１２記載の装置。
【請求項４】
前記携帯用電子機器（１）は、使用者の手首に装着され、
前記携帯用電子機器のケース（１０）は、使用者の肌に接触する接触領域（１１ａ）を有する底部（１１）を有し、
前記ソケット（１５）は、携帯用電子機器（１）の底部（１１）に具備され、前記接触領域（１１ａ）に対し凹んでいる
ことを特徴とする請求項１記載の装置。
【請求項５】
前記電気接点要素（３１，３２）は、前記接触領域（１１ａ）の方向に前記ソケット（１５）内を伸びるが、使用者の肌には接触しない
ことを特徴とする請求項１記載の装置。
【請求項６】
前記ソケット（１５）は、前記プラグイン・アダプタ（２）が挿入される開口に加えて、前記プラグイン・アダプタ（２）の挿入方向（Ａ）に対し側面にある側面開口（１５ａ）を有し、
前記ソケット（１５）内に配置された前記電気接点要素（３１，３２）の洗浄を可能にする
ことを特徴とする請求項１記載の装置。
【請求項７】
前記側面開口（１５ａ）は、前記プラグイン・アダプタ（２）を前記ソケット（１５）内にロックする、スナップロック機構（１５ａ，１５ｂ，２５ａ，２５ｂ）との一体部分を構成する
ことを特徴とする請求項６記載の装置。
【請求項８】
前記プラグイン・アダプタ（２）を前記ソケット（１５）内にロックするスナップロック機構を更に有する
ことを特徴とする請求項１記載の装置。
【請求項９】
前記各電気接点要素（３１，３２）は、前記ケース（１０）内に搭載された可動導電性ステムである
ことを特徴とする請求項１−８のいずれかに記載の装置。
【請求項１０】
外部充電装置により携帯用電子機器（１）のバッテリーを充電するシステムにおいて、
前記外部充電装置は、前記携帯用電子機器（１）に、前記の請求項１−９のいずれかに記載された電気的接続を確立する装置により接続される
ことを特徴とする携帯用電子機器のバッテリーを充電するシステム。
【請求項１１】
少なくとも第１と第２の電気接点要素（３１，３２）が配置されたソケット（１５）を具備するケース（１０）を有する携帯用電子機器（１）の電気接続を確立するプラグイン・アダプタ（２）において、
前記プラグイン・アダプタ（２）は、少なくとも第１と第２の電気接点領域（２１，２２）を有し、
前記電気接点領域は、前記ソケット（１５）内の対応する電気接点要素（３１，３２）に接触し、
前記電気接点領域（２１，２２）は、前記電気接点要素（３１，３２）に直交して接触する構造をしており、
前記第１と第２の電気接点領域（２１，２２）は、前記ソケット（１５）内へのプラグイン・アダプタ（２）の挿入方向（Ａ）に平行に隣り合って伸びる
ことを特徴とする携帯用電子機器と外部装置との間の電気接続を確立するプラグイン・アダプタ。
【請求項１２】
携帯用電子機器（１）内に挿入された後は、前記ソケット（１５）内で見えなくなる延長部（２５）を更に有し、
前記第１と第２の電気接点領域（２１，２２）は、同一面に配置された第１と第２の導電性舌部として構成され、
前記導電性舌部の少なくとも一部は、プラグイン・アダプタ（２）の前記延長部（２５）の一面に配置され、
前記導電性舌部の露出部分は、前記プラグイン・アダプタ（２）が携帯用電子機器（１）のソケット（１５）内に挿入されたときには、前記電気接点要素（３１，３２）の方向を向いている
ことを特徴とする請求項１１記載のプラグイン・アダプタ。
【発明の詳細な説明】
【技術分野】
【０００１】
本発明は、携帯用電子機器（例えば腕時計）と外部装置との間の電気的接続をプラグイン電気アダプタにより確立する装置に関する。
【０００２】
本発明は、特にバッテリーを搭載した携帯用電子機器を外部の電源と接続する接続装置に関する。本発明は、携帯用電子機器と外部装置との間で、データ／電気信号を送信／交換する為に、外部装置との間で電気接続を確立するのが必要なシステムにも適用可能である。
【背景技術】
【０００３】
デジタル時計の分野においては、時計と外部装置との間の電気的接続を確立する解決方法は公知である。特許文献１−４の開示によれば、例えば時計のケースの底部（時計のこの領域は人の肌／皮膚に接触する領域である）に、１つあるいは複数の電気接点要素を配置し、これらの電気接点要素との電気的接続は、アダプタあるいは適宜の接触手段により確保されている。
【０００４】
【特許文献１】米国特許  第４，１１８，９２２号明細書
【特許文献２】米国特許  第４，３２３，９９６号明細書
【特許文献３】米国特許  第４，１０３，４８３号明細書
【特許文献４】米国特許  第４，１６５，６０５号明細書
【特許文献５】米国特許  第５，７０３，４６０号明細書
【特許文献６】特開２００１−１８６５８４号
【０００５】
時計の電気接点要素をユーザの皮膚に近づけることは、避けねばならない制約事項である。実際に一般的に好ましいのは、これらの接点要素と使用者の皮膚との接触を完全に回避することである。機械的あるいは電気的な保護手段を具備し、このリスクを回避しなければならない。他方でこれら従来の解決方法は、電気的接続の品質を劣化させるような汚染の問題を有する。
【０００６】
使用者の皮膚と接触するという問題に取り組んだより好ましい解決方法が既に提案されている。特許文献５は、例えば時計のケースの側面に具備されたソケットに挿入されるプラグイン・アダプタを用いる電気接続装置を記載している。この装置は、使用者の皮膚との接触を完全に回避できるが、この解決方法は、１個の接点要素の電気接続のみしか（更なるプラグイン・アダプタが、時計の補助的な接点要素との電気的接続を確立する為には必要である）確立できない点と、時計の使用中にソケットの底の溜まるゴミ等による汚染問題がある。更に、接続装置の形状は、携帯機器の防水機能を保証する点からして適当ではない。
【０００７】
プラグイン・アダプタを用いる別の解決方法が特許文献６に開示されている。この特許文献６は、ヘッドホンとの電気的接続を確保する接続装置を具備した腕時計型の携帯用電子機器を記載している。ヘッドホンのプラグインは、従来のジャケット型のアダプタにより確保されている。特許文献６の明細書では、アダプタは、ソケットに挿入する方向に前後に整列した３個の電気接点領域を有する。同様に、ソケットは、アダプタの挿入方向に前後に整列した３個の電気接点要素を具備する。これら３個の電気接点要素は、携帯用機器のケース内に収納された電気的構成部品、電気的部品及び電子的部品に電気的に結合されている。アダプタがプラグインされるソケットは、電子機器のケースに直接配列されてはおらず、電子機器のケースに取り付けられた付属ケース内に取り付けられている。これら２つのケースの間の電気的接続は、プッシュボタン型の類似の構造の構成要素により確保されている。
【０００８】
この従来の解決方法は、複数の電気的接続を確立する為に、１個のプラグイン・コネクターのみがよく、市場で比較的広範囲の標準を構成できる利点がある。しかしこの解決方法は、携帯用電子機器のシール条件に関してはうまく適用できず、又電気接点の質を損なうようなゴミ等の蓄積に対しては非常に弱い。更にこのような装置の構造は、比較的複雑で使用に際しあまり頑強ではない。
【発明の開示】
【発明が解決しようとする課題】
【０００９】
本発明の目的は、ゴミやチリの蓄積が問題となるような様々な環境で使用できる携帯用電子機器の単純かつ頑強な構造の電気的接続の解決方法を提供する。
【００１０】
本発明の目的は、更に携帯用電子機器の防水が容易に達成できるような電気的接続の解決方法を提供することである。
【００１１】
本発明の更なる目的は、携帯用機器とプラグイン・アダプタとの間の高品質の電気的接続を保証できる解決方法を提供することである。
【００１２】
本発明の更に別の目的は、バッテリーの充電システムで使用されるのに特に適した電気的接続の解決方法を提供することである。
【００１３】
本発明の主な目的は、特許請求の１に記載されたような、携帯用電子機器と外部装置との間の電気的接続を提供する装置を提供することである。
【００１４】
本発明の更なる目的は、このような電気接続装置を用いて携帯用電子機器のバッテリー充電システムを提供することである。
【００１５】
最後に本発明の目的は、上記の電子接続装置で用いられるプラグイン・アダプタを提供することである。
【課題を解決するための手段】
【００１６】
本発明の好ましい実施例は、従属請求項に記載されている。
【００１７】
ここに提案された本発明の解決方法によれば、プラグイン・アダプタが挿入されるソケット内に配列された電気接点要素は、アダプタの挿入方向にほぼ直交する方向に配置される。本発明のアダプタは、その部品として複数の電気接点領域を有し、その各接点領域は、ソケット内の対応する電気接点と接触し、ソケットのアダプタ内への挿入方向にほぼ並行して横に並んでいる。ソケット内に配列された接点要素とアダプタに具備された対応する接点領域とは、互いに向き合っておらず直交する向きで協働する。
【００１８】
この電気接点要素と電気接点領域とのそれぞれの配列は、構造が単純になり手荒い使用にも耐える利点がある。本明細書に詳述するように、携帯機器の電気接点要素は、同様な程度の十分な防水性を同時に容易に達成できる利点がある。
【００１９】
接点要素と接点領域との互いに関連づけられた配列は、アダプタの挿入時に、接点要素は、対応する接点領域上に摩擦を掛けるよう構成される。かくして、電気接点要素の自己洗浄が行われ、接点の高品質を容易に達成できる。
【実施例】
【００２０】
図は、本発明のプラグイン・アダプタを用いて、携帯用電子機器と外部装置との間の電気的接続を確立する装置の一実施例を示す。本発明は、この一実施例に限定されるものではなく、図示した腕時計の形態、あるいは他の携帯機器（携帯電話、ポケット計算機、電子オルガナイザー、パーソナルデジタルアシスタント装置等）にも適応できる。
【００２１】
携帯用電子機器に電気的接続される外部装置の特性は余り重要ではない。以下の明細書の記載によれば、外部装置は、携帯機器のバッテリーに充電する装置、あるいは携帯機器と電気的接続を必要とするような他の装置でもよい。かくしてプラグイン・アダプタは、周辺機器を携帯機器（例えばヘッドフォン、非接触（ＲＦ）型通信、光学型、誘導型の外部インターフェース）に接続すること、携帯機器をコンピュータ端末に、あるいは他の携帯機器に接続する為に用いられる。一般的に本発明による電気接続を確立する装置は、電気信号あるいはデータを流すのに用いられる。
【００２２】
図１は腕時計の形態を採る携帯用電子機器１の平面図である。この携帯用電子機器１に外部装置（図示せず）がプラグイン・アダプタ２の手段により接続されている。プラグイン・アダプタ２は、携帯用電子機器１のソケット１５内にＡ方向から挿入される。図２に示すように、プラグイン・アダプタ２が挿入されるソケット１５は、携帯用電子機器１のケース１０の底１１を形成する部分内に具備される。
【００２３】
ここに示した実施例においては、２個の電気接点３１，３２が、ソケット１５内に突出している（電気接点３１，３２の端部のみが図２には示されている）。これらの電気接点３１，３２は、プラグイン・アダプタ２の延長部２５上に具備された対応する電気接点領域（導電性舌部）２１，２２と接触する。この実施例においては、電気接点３１，３２は、プラグイン・アダプタ２の挿入方向Ａに直交する面に整列している。電気接点３１，３２はあるいは挿入方向Ａに対しずれてもよい。
【００２４】
図１，２に示した実施例によれば、携帯用電子機器１は、ユーザの肌／皮膚（この場合腕）に接触して装着される。携帯用機器の底１１の接触領域１１ａは、肌との接触領域を構成する。
【００２５】
ソケット１５は、皮膚に近い為に、この底部の皮膚との接触領域に対し、引っ込んだ位置にある底１１内に具備される。電気接点３１，３２は、接触領域１１ａの方向にソケット１５内に伸びるが、使用者の皮膚と接触することはない。
【００２６】
図３ａ，３ｂは、プラグイン・アダプタ２の詳細構造を示す。プラグイン・アダプタ２は、上部分２０ａ，下部分２０ｂから構成される本体２０と、携帯用電子機器１の挿入後にソケット１５の大部分で隠れてしまう延長部２５とからなる。本体２０は、外部装置（図示せず）にこの実施例では２本の導体を含むケーブル手段により接続される。この為、接点要素、接点領域及び導体の数は、外部装置の特性と送信されるべき電気信号の特性に依存する。この実施例においては、プラグイン・アダプタ２を用いて、携帯用電子機器１がバッテリーを充電する為に外部装置に接続される。携帯用電子機器１のバッテリーを充電システムに接続する為に、接続ライン対が必要である。別の構成としては３本以上の接続ラインを具備してもよい。
【００２７】
電気接点領域（以下、導電性舌部とも称する）２１，２２は、同一面に横並びに配列された一対の導電性舌部の形態を採る。これらの導電性舌部の一部は、延長部２５の上部表面上に露出している。即ち延長部２５の面は、プラグイン・アダプタ２を携帯用電子機器１のソケット１５内に挿入している間、電気接点３１，３２の方向に向いている。
【００２８】
延長部２５の他の面（下面）は、ソケット１５の壁内の側面開口１５ａと係合するリブ２５ａを有する。この側面開口１５ａは、図４−６により明確に開示されている。リブ２５ａは、更に突起２５ｂを有し、この突起２５ｂが、携帯機器のソケット１５のプラグイン・アダプタ２に機械的にロックする（はまる、図６）。
【００２９】
図４，５は、プラグイン・アダプタ２が携帯機器のソケット１５内に挿入された後の配列と、電気接点３１，３２と電気接点領域（導電性舌部）２１，２２が接触した状態を示す。図４は、携帯用電子機器１と、挿入方向Ａに平行でかつ電子接点要素３１の１つを通過する切断面で切ったプラグイン・アダプタ２の部分断面図である。図５は、携帯用電子機器１と、挿入方向Ａに直交し、かつ電子接点要素３１，３２を通過する切断面で切ったプラグイン・アダプタ２の部分断面図である。
【００３０】
図４，５からその詳細が分かるように、各電気接点３１，３２は、ケース１０の底１１内で、上下が逆になって垂直方向に搭載された可動導電性ステム（プッシュボタンのステムの構造に類似する）の形態を採る。かくして電気接点３１，３２は、底１１内に具備された対応する開口４１，４２とソケット１５の上壁内の開口内に搭載される。各電気接点３１，３２は、そのヘッドのベースに具備されたカラーの手段により、開口４１，４２内に保持され、開口の狭い部分の内に静止する（図４，６）。この狭くなった領域により、各接点要素が保持される。この狭くなった領域は、電気接点３１，３２をケース１０内に搭載する間、柔軟に変形できるように構成されている。
【００３１】
携帯用電子機器１の防水性は、ソケット１５と開口４１，４２において、電気接点３１，３２に具備された溝内に配列された一対のＯ（オー）リングジョイント３５，３６により確保される。
【００３２】
各電気接点３１，３２は、それぞれスプリング３３，３４に強固に取り付けられ、スプリングが接点を軸方向（図４，５では下方向）に押す。これらのスプリング３３，３４は、電気接点３１，３２と、プリント回路基板（ＰＣＢ）５０との間に配置される。このプリント回路基板（ＰＣＢ）５０は、スプリング３３，３４に電気的に接続にされる２個の接点領域５１，５２を具備する。プリント回路基板（ＰＣＢ）５０は、携帯機器のケース１０内に配置される。（図４）
【００３３】
この配置位置においては、図２に部分的に示すように、スプリング３３，３４は、電気接点３１，３２を底部方向（垂直方向）に若干押している。プラグイン・アダプタ２を挿入する間は、電気接点３１，３２は、プリント回路基板（ＰＣＢ）５０の方向（上方向）に押される。これにより、スプリング３３，３４を、電気接点領域（導電性舌部）２１，２２で圧縮している。図３ａ，４に示すように、電気接点領域（導電性舌部）２１，２２の端部２１ａ，２２ａは、下方向に湾曲し舌部２１，２２の挿入を容易にし、ぶつかるのを回避している。
【００３４】
図４，５から、プラグイン・アダプタ２をソケット１５内に挿入する間、各電気接点３１，３２は、対応する電気接点領域（導電性舌部）２１，２２上に摩擦接触を発生させる。この摩擦接触は、接点領域の自己洗浄（セルフクリーニング）ができる為に、電気接点の質の観点から好ましい。
【００３５】
上記したように本発明の好ましい実施例によれば、ソケット１５は、プラグイン・アダプタ２の挿入を可能にするその前面開口以外に、ソケット１５の下壁内に側面開口１５ａを有する。この側面開口１５ａは、一方で電気接点３１，３２の端部の洗浄を容易にする。電気接点３１，３２は、この側面開口１５ａを介して一部アクセス可能である。他方で図４，５と図６に示すように、側面開口１５ａは、プラグイン・アダプタ２の延長部２５上に形成されたリブ２５ａを収納し、フールプルーフ機構の役目をする。即ち、プラグイン・アダプタ２が簡単な方法でソケット１５内にのみ挿入することを確実にする。これは図５から容易に分かることである。
【００３６】
好ましい例として、図６に示し説明したように、プラグイン・アダプタ２上のリブ２５ａは突起２５ｂを具備する。この突起２５ｂは、プラグイン・アダプタ２がソケット１５内に一旦挿入されると機械的に保持する。それ故に、側面開口１５ａは、この突起２５ｂを収納する拡張部１５ｂを有する。リブ２５ａと、突起２５ｂと、側面開口１５ａと、拡張部１５ｂは、協働してプラグイン・アダプタ２をソケット１５内にスナップロックする機構を構成する。しかし、他のスナップロック機構も採用できる。例えばプラグイン・アダプタ２が、ソケット１５の前部に配置された機構の手段により、ソケット内にロックすることもできる。同様に側面開口１５ａとリブ２５ａのフールプルーフ機構は別の方法で達成できる。例えば、延長部２５の側面の１つの上に形成されてリブと、ソケット１５の１つの側面壁（図５の垂直壁）内の対応する溝の手段により達成できる。しかし側面開口１５ａが、前述したように電気接点３１，３２の端部の洗浄を容易に実施できる為に、好ましい。
【００３７】
変形例として、ソケット１５の底部にスイッチング機構を具備することもでき、これにより、プラグイン・アダプタ２が挿入されていない場合、電気接点３１，３２を接続すべき電気的及び／又は電子的構成要素から切り離すよう構成することもできる。このスイッチング機構は、機械的及び電気的部品に関する限り、プッシュボタンの形態を採り、プッシュボタンの軸方向の動きは、延長部２５の端部により開始される。そしてプラグイン・アダプタ２が存在することにより電気接点３１，３２が上に移動すると、電気接点３１，３２と、それに関連する電気的／電子構成要素との間の電気回路を閉じるようになる。
【００３８】
更なる変形例として、電気接点３１，３２を、プラグイン・アダプタ２を挿入した後のみ、垂直方向に動かす機構を具備することも考えられる。この機構は、クラウンステムの軸方向の動きに追従して、ソケット１５内にプラグイン・アダプタ２が存在することにより機械的に作り出されるカム機構の手段により行うことができる。これはクラウンステム機構内に見られる。この変形例によれば、電気接点３１，３２は、アダプタ２の電気接点領域（導電性舌部）２１，２２に必ずしも摩擦接触を施さないように配列することができる。
【００３９】
しかしこの摩擦接触は、電気接点の良好な質を維持する点からも、好ましいものである。様々な変形例及び改良点がここに開示した実施例に対し本発明の範囲を逸脱することなく、当業者には可能である。特に本発明は、腕時計に限定されるものではなく、また２本の電気接続ラインのみを採用する接続装置に限定されるものでもない。
【００４０】
例えばある変形例は、プラグイン・アダプタに更なる接点領域を具備し、ソケットに更なる接点要素を具備することである。特にプラグイン・アダプタは、適宜の方法で配列された４個の個別の接点領域（例えばプラグイン・アダプタの上部部分と／又は下部部分の４個の導電性舌部）を具備し、それぞれソケット内に配置された４個の電気接点要素と接触させてもよい。この場合２個の接点が充電用に用いられ、他の２個の接点をデータの交換に用いることもできる。４個の接点領域は、プラグインアダプタ上で横に並べて配置するか、あるいは２個の別個の面の上に対で配置するかのいずれかで配列できる。これによりプラグイン・アダプタは、よりコンパクトに構成できる。同様に４個の接点要素を同一面に配列するか（図の電気接点３１，３２がこれに当たる）、あるいは２つの別の面に２×２の構成として配列することもできる。更なる接点領域を、アダプタの両側に側面方向に配列し、それに対応する接点要素を水平方向のケースに具備させることもできる。
【００４１】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈する為に用いてはならない。また、同一番号でも明細書と特許請求の範囲の部品名は必ずしも同一ではない。これは上記した理由による。
【図面の簡単な説明】
【００４２】
【図１】本発明の一実施例による腕時計の形態を採る携帯用電子機器と、そのソケットに挿入されるプラグイン・アダプタを示す平面図。
【図２】図１の腕時計の９時の位置の断面図で、プラグイン・アダプタを受け入れるソケットを示し、２個の電気接点要素の端部がこのソケットの内側に配列された状態を示している。
【図３ａ】図１のプラグイン・アダプタの上側から見た斜視図。
【図３ｂ】図１のプラグイン・アダプタの下側から見た斜視図。
【図４】図１の携帯用電子機器と、プラグイン・アダプタの挿入方向に並行で、かつ図２に示された電子接点要素の１つを通過する切断面で切った部分断面図。
【図５】図１の携帯用電子機器と、プラグイン・アダプタの挿入方向に直交し、かつ図２に示された電子接点要素の１つを通過する切断面で切った部分断面図。
【図６】プラグイン・アダプタを搭載した携帯用電子機器の下面から見た斜視図で、携帯用電子機器のソケット内にアダプタがスナップロックされるメカニズムを表す図。
【符号の説明】
【００４３】
１  携帯用電子機器
２  プラグイン・アダプタ
１０  ケース
１１  底
１１ａ  接点ゾーン
１５  ソケット
１５ａ  側面開口
１５ｂ  拡張部
２０  本体
２０ａ，２０ｂ  関連部分
２１，２２  電気接点領域（導電性舌部）
２１ａ，２２ａ  端部
２５  延長部
２５ａ  リブ
２５ｂ  突起
３１，３２  電気接点
３３，３４  スプリング
３５，３６  Ｏリングジョイント
４１，４２  開口
５０  プリント回路基板（ＰＣＢ）
５１，５２  接点領域
【図１】
2006518456.tif 000003
【図２】
2006518456.tif 000004
2006518456.tif 000005
【図４】
2006518456.tif 000006
【図５】
2006518456.tif 000007
【図６】
2006518456.tif 000008
【国際調査報告】
2006518456.tif 000009
2006518456.tif 000010
2006518456.tif 000011